(57)【要約】      （修正有）【課題】回転性能を完成品となる製品毎に略一致させることが可能な計器用指針を提供する。【解決手段】回転中心部１１と指示部１２とを有する透光性の指針本体と、回転中心部１１を覆う非透光性のカバー部材２０と、略平板状のプレス成型品からなる重り部３０とを備え、重り部３０が前面壁部２１（カバー部材２０）に設けられた重り収納部としての収納用壁部２１ａに収容されている計器用指針において、重り部３０は、その角部に形成された切り欠き部と、指示部１２の長手方向Ｘと直交する一対の第１、第２の面部３２、３３とを有し、第１の面部３２は非平坦面で構成され、第２の面部３３は平坦面で構成され、第１の面部３２が指示部の近くに位置するときだけ重り部３０の収納用壁部（重り収納部）２１ａへの収納を許可すべく、カバー部材２０には切り欠き部に対応した位置に突出部が設けられている。【選択図】図３
2017072459.tif 000002
【特許請求の範囲】
【請求項１】
回転中心部と計測値表示部を指示する指示部とを有する透光性の指針本体と、
前記回転中心部を覆う非透光性のカバー部材と、
略平板状のプレス成型品からなる重り部とを備え、
前記重り部が前記カバー部材または前記回転中心部に設けられた重り収納部に収納されている計器用指針において、
前記重り部は、その角部に形成された切り欠き部と、前記指示部の長手方向と直交する一対の第１、第２の面部とを有し、
前記指示部の近くに位置する前記第１の面部は非平坦面で構成され、
前記第１の面部よりも前記指示部から遠くにある前記第２の面部は平坦面で構成され、
前記第１の面部が前記指示部の近くに位置するときだけ前記重り部の前記重り収納部への収納を許可すべく、前記カバー部材または前記回転中心部には前記切り欠き部に対応した位置に突出部が設けられていることを特徴とする計器用指針。
【請求項２】
回転中心部と計測値表示部を指示する指示部とを有する透光性の指針本体と、
前記回転中心部を覆う非透光性のカバー部材と、
略平板状のプレス成型品からなる重り部とを備え、
前記重り部が前記カバー部材または前記回転中心部に設けられた重り収納部に収容されている計器用指針において、
前記重り部は、その角部に形成された切り欠き部と、前記指示部の長手方向と直交する一対の第１、第２の面部とを有し、
前記指示部の近くに位置する前記第１の面部は平坦面で構成され、
前記第１の面部よりも前記指示部から遠くにある前記第２の面部は非平坦面で構成され、
前記第１の面部が前記指示部の近くに位置するときだけ前記重り部の前記重り収納部への収納を許可すべく、前記カバー部材または前記回転中心部には前記切り欠き部に対応した位置に突出部が設けられていることを特徴とする計器用指針。
【発明の詳細な説明】
【技術分野】
【０００１】
本発明は、各種車両に備えられる車両用計器に搭載された計器用指針に関するものである。
【背景技術】
【０００２】
従来より、この種の計器用指針にあっては、例えば下記特許文献１に記載されているものが知られている。この特許文献１に記載の計器用指針は、回転中心部と表示板に設けられた計測値表示部を指示する指示部とを有する透光性の指針本体と、この指針本体の回転中心部を覆う非透光性のカバー部材と、略平板状のプレス成型品である重り部とを備え、重り部がカバー部材に設けられた重り収納部に収納されているものである。
【０００３】
そして、この場合、重り部は、指示部の長手方向と直交する一対の第１、第２の面部を有し、これら第１、第２の面部のうち指示部の近くに位置する第１の面部はその周縁部分がプレス成型時に形成されるＲ面（ダレ面）をなした非平坦面で構成され、他方、第１の面部よりも指示部から遠くにある第２の面部は完全な平坦面で構成されている。
【先行技術文献】
【特許文献】
【０００４】
【特許文献１】特開２００１−９１３１１号公報
【発明の概要】
【発明が解決しようとする課題】
【０００５】
しかしながら、上述した特許文献１に記載の計器用指針では、上記のように第１の面部が指示部の近くに位置する正規の組み付け状態のときに重り部をカバー部材に設けられた重り収納部に収納する（組み付ける）ことができるとともに、第１の面部と第２の面部との位置関係を逆にした誤組み付け状態でも、重り部を重り収納部に収納する（組み付ける）ことが可能である。
【０００６】
そして、このような場合、第１の面部の周縁部分にＲ面（ダレ面）が形成されると、正規の組み付け状態と誤組み付け状態とで重り部の重心位置がずれる（変化する）ことに起因して、計器用指針の回転性能が正規の組み付け状態と誤組み付け状態とで異なってしまい、当該回転性能を完成品となる製品毎（指針毎）に略一致させることができないという問題点があり、この点で更なる改良の余地が残されていた。
そこで本発明は、前述の課題に対して対処するため、回転性能を完成品となる製品毎に略一致させることが可能な計器用指針の提供を目的とするものである。
【課題を解決するための手段】
【０００７】
本発明は、回転中心部と計測値表示部を指示する指示部とを有する透光性の指針本体と、前記回転中心部を覆う非透光性のカバー部材と、略平板状のプレス成型品からなる重り部とを備え、前記重り部が前記カバー部材または前記回転中心部に設けられた重り収納部に収容されている計器用指針において、前記重り部は、その角部に形成された切り欠き部と、前記指示部の長手方向と直交する一対の第１、第２の面部とを有し、前記指示部の近くに位置する前記第１の面部は非平坦面で構成され、前記第１の面部よりも前記指示部から遠くにある前記第２の面部は平坦面で構成され、前記第１の面部が前記指示部の近くに位置するときだけ前記重り部の前記重り収納部への収納を許可すべく、前記カバー部材または前記回転中心部には前記切り欠き部に対応した位置に突出部が設けられていることを特徴とする。
【０００８】
また本発明は、回転中心部と計測値表示部を指示する指示部とを有する透光性の指針本体と、前記回転中心部を覆う非透光性のカバー部材と、略平板状のプレス成型品からなる重り部とを備え、前記重り部が前記カバー部材または前記回転中心部に設けられた重り収納部に収容されている計器用指針において、前記重り部は、その角部に形成された切り欠き部と、前記指示部の長手方向と直交する一対の第１、第２の面部とを有し、前記指示部の近くに位置する前記第１の面部は平坦面で構成され、前記第１の面部よりも前記指示部から遠くにある前記第２の面部は非平坦面で構成され、前記第１の面部が前記指示部の近くに位置するときだけ前記重り部の前記重り収納部への収納を許可すべく、前記カバー部材または前記回転中心部には前記切り欠き部に対応した位置に突出部が設けられていることを特徴とする。
【発明の効果】
【０００９】
本発明によれば、初期の目的を達成でき、回転性能を完成品となる製品毎に略一致させることが可能な計器用指針を提供できる。
【図面の簡単な説明】
【００１０】
【図１】本発明の実施形態による車両用計器の正面図。
【図２】計器用表示板を不図示とした図１のＡ−Ａ断面図。
【図３】図２中、Ｃ部を拡大して示す要部拡大断面図。
【図４】計器用表示板を不図示とした図１のＢ−Ｂ断面図。
【図５】同実施形態の変形例による計器用指針の要部断面図。
【図６】同実施形態の他の変形例による計器用指針の要部断面図。
【発明を実施するための形態】
【００１１】
以下、図１〜図４に基づいて、本発明を車両用計器に搭載された計器用指針に適用した一実施形態を説明する。
【００１２】
図１、図２において、本実施形態による計器用指針Ｐは、透光性の指針本体１０と、非透光性のカバー部材２０と、計器用指針Ｐの回転時のバランスを保つためのバランサとしての重り部３０とから構成され、可動磁石式計器またはステッピングモータからなる指針駆動手段４０に備えられる回転軸４１に装着され、この回転軸４１の回転駆動に連動して計器用表示板５０上を軸回り回転するようになっている。
【００１３】
指針本体１０は、透光性合成樹脂材料によって形成され、回転中心部１１と、回転軸４１の軸線と同軸となる回転中心軸線Ｚに対して略直交する方向に長手状に延びる指示部１２とを有し、指示部１２は計器用表示板５０に備えられる目盛等の計測値表示部５１を指示するものである。
【００１４】
回転中心部１１は、その主要部を構成する回転基部１１ａと、この回転基部１１の中心部から垂下形成されたボス部１１ｂと、ボス部１１ｂの周囲となる回転基部１１ａの背面箇所に設けられる入光面１１ｃと、この入光面１１ｃの真上に位置する反射面１１ｄとを備えている。
【００１５】
そして、回転基部１１ａの直下に位置する光源（図示せず）からの照明光は入光面１１ｃを通じて回転基部１１ａに導入され、この回転基部１１ａに導入された照明光は反射面１１ｄによって指示部１２側に向けて反射導光され、これにより指示部１２が発光する構成となっている。
【００１６】
カバー部材２０は、非透光性（例えば黒色）の合成樹脂材料にて形成され、回転中心部１１を覆う指針キャップからなり、図３に示すように回転中心部１１の前方を覆う前面壁部２１と、回転中心部１１の側方を覆う周壁部２２とを有し、前面壁部２１とは反対側となる（つまりボス部１１ｂが位置する）周壁部２２の底部側は開口している。
【００１７】
なお、２１ａは、ボス部１１ｂを挟んで指示部１２とは反対側となる前面壁部２１の背面箇所から回転基部１１ａ側に向けて垂下形成された重り収納部としての略枠状の収納用壁部であり、この収納用壁部２１ａの内部に形成される空所に重り部３０が収納（収容）される構成となっている。
【００１８】
また、図４中、２１ｂは、重り部３０に備えられる後述する切り欠き部に対応した位置に設けられる突出部であり、この突出部２１ｂは、図４中、上側に位置する収納用壁部２１ａにおいて、前記開口とは反対側となる収納用壁部２１ａの根本部分から内側に向けて隆起形成された凸状の隆起部からなる。
【００１９】
重り部３０は、略平板状のプレス成型品からなり、前面壁部２１（カバー部材２０）に設けられた重り収容部である収納用壁部２１ａに縦置きされた状態で収容される。
【００２０】
また、重り部３０は、その４つの角部のうち１つの角部に形成された切り欠き部３１と、指示部１２の長手方向Ｘ（及び回転中心軸線Ｚ）と直交するように設けられる一対の第１、第２の面部３２、３３とを有し、この場合、指示部１２の近くに位置する第１の面部３２は非平坦面で構成され、第１の面部３２よりも指示部１２から遠くにある第２の面部３３は平坦面で構成されている（図３、図４参照）。
【００２１】
第１の面部３２は、その主要部を構成する平滑面３２ａと、この平滑面３２ａを包囲するように第１の面部３２の周縁に形成されるダレ面（Ｒ面）３２ｂとで構成され、このダレ面３２ｂは、例えば打ち抜きプレス成型によって成型品としての重り部３０を得る際に形成されるものである。
【００２２】
以上の各部により、計器用指針Ｐが構成されている。ここで、重り部３０を重り収納部である収納用壁部２１ａに収納する（組み付ける）ためには、例えばここでの詳細図示は省略するが、まず第１の面部３２を指示部１２側に位置させるとともに切り欠き部３１と突起部２１ｂとが向かい合うように、カバー部材２０と重り部３０とを位置合わせし、この状態から重り部３０を平行移動させると、やがて切り欠き部３１が突起部２１ｂに突き当たった状態で、図３に示すように重り部３０が収納用壁部２１ａに収納される（組み付けられる）構成となる。
【００２３】
つまり、本例の場合、第１の面部３２が指示部１２の近くに位置するときだけ、重り部３０の収納用壁部（重り収納部）２１ａへの収納を許可すべく、カバー部材２０（収納用壁部２１ａ）には重り部３０の切り欠き部３１に対応した位置に突出部２１ｂが設けられている構成となっている。
【００２４】
従って、重り部３０の収納用壁部２１ａへの収納（組み付け）は、第１の面部３２が指示部１２の近くに位置するときだけ実現可能となり、当該位置以外では重り部３０を収納用壁部２１ａに組み付けることができない（つまり従来のような誤組み付け状態は全く発生しない）ため、個々の計器用指針Ｐの完成品において、当該完成品毎の重り部３０の重心の位置は同じとなり、これにより計器用指針Ｐの回転性能を完成品となる製品毎に略一致させることが可能となる。
【００２５】
以上のように本実施形態では、重り部３０は、その角部に形成された切り欠き部３１と、指示部１２の長手方向Ｘと直交する一対の第１、第２の面部３２、３３とを有し、指示部１２の近くに位置する第１の面部３２は非平坦面で構成され、第１の面部３２よりも指示部１２から遠くにある第２の面部３３は平坦面で構成され、第１の面部３２が指示部の近くに位置するときだけ重り部３０の収納用壁部（重り収容部）２１ａへの収容を許可すべく、カバー部材２０（収納用壁部２１ａ）には切り欠き部３１に対応した位置に突出部２１ｂが設けられているものである。
【００２６】
従って、重り部３０の収納用壁部２１ａへの収納（組み付け）は、第１の面部３２が指示部１２の近くに位置するときだけ実現可能となり、当該位置以外では重り部３０を収納用壁部２１ａに組み付けることができないため、個々の計器用指針Ｐの完成品において、当該完成品毎の重り部３０の重心の位置は同じとなり、回転性能を完成品となる製品毎に略一致させることが可能な計器用指針を提供することができる。
【００２７】
なお、本発明は、上述の実施形態及び図面によって限定されるものではない。本発明の要旨を変更しない範囲で、適宜、実施形態及び図面に変更（構成要素の削除も含む）を加えることが可能である。
【００２８】
例えば、上述した実施形態では、重り部３０を収納する重り収納部としての収納用壁部２１ａがカバー部材２０側に設けられている例について説明したが、例えば本実施形態の変形例として図５に示すように、収納用壁部２１ａを回転基部１１ａ（回転中心部１１）側に設けた場合であっても、前記実施形態と同様の作用効果を得ることができる。つまり、ここでは重り部３０が回転基部１１ａ（回転中心部１１）に設けられた収納用壁部（重り収納部）２１ａに収納され、また、ここでの詳細図示は省略するが当該回転基部１１ａ（回転中心部１１）には切り欠き部３１に対応した位置に突出部２１ｂが設けられる構成となる。
【００２９】
また、上述した実施形態では、指示部１２の近くに位置する第１の面部３２が非平坦面で構成され、第１の面部３２よりも指示部１２から遠くにある第２の面部３３が平坦面で構成されていたが、例えば本実施形態の他の変形例として図６に示すように指示部１２の近くに位置する第１の面部３２が平坦面で構成され、第１の面部３２よりも指示部１２から遠くにある第２の面部３３が上述した平滑面とダレ面とを含む非平坦面で構成されるようにしてもよい。
【００３０】
このように構成した場合であっても、重り部３０の収納用壁部２１ａへの収納（組み付け）は、第２の面部３３が指示部１２の近くに位置するときだけ実現可能となり、個々の計器用指針Ｐの完成品において、当該完成品毎の重り部３０の重心の位置は同じであるため、前記実施形態と同様の作用効果を得ることができる。
【００３１】
また、この他の変形例における重り部３０の重心の位置は、上述の実施形態のようにダレ面３２ｂが指示部１２に近い位置に形成された場合と比べて、指示部１２側に若干、移動することから、計器用指針Ｐの回転性能をより向上させたい場合には、上述の実施形態の構成のようにダレ面３２ｂを指示部１２に近い位置に位置させることが望ましい。なお、当然のことながら、この他の変形例の構成において、収納用壁部２１ａを回転基部１１ａ（回転中心部１１）側に設けることができることは言うまでもない。
【００３２】
さらに、上述した実施形態では、第１、第２の面部３２、３３が指示部１２の長手方向Ｘと直交する方向に形成されているものであったが、例えば第１、第２の面部３２、３３を指示部１２の長手方向Ｘに沿うように（つまり長手方向Ｘと平行になるように）構成してもよい。この場合、例えばカバー部材２０（もしくは回転基部１１ａ）に設けられる収納用壁部２１ａは長手方向Ｘに沿って横長に形成される。
【００３３】
そして、長手方向Ｘと平行になるように形成される第１、第２の面部３２、３３は、そのうちのどちらか一方が図１中、カバー部材２０を上下に略２等分する仮想ラインの上側に位置し、他方が前記仮想ラインの下側に位置する構成となる。そして、ここでの詳細説明は省略するが、上述した実施形態と同様の手法を用いて、第１の面部３２が前記仮想ラインの上側（もしくは下側）に位置するときだけ重り部３０の収納用壁部２１ａへの収納を許可すべく、カバー部材２０（もしくは回転基部１１ａ）に、切り欠き部３１に対応した位置に突出部２１ｂを設ける構成とすることで、上述した実施形態と同様の作用効果を得ることができる。
【符号の説明】
【００３４】
Ｐ      計器用指針
１０      指針本体
１１      回転中心部
１１ａ    回転基部
１２      指示部
２０    カバー部材
２１    前面壁部
２１ａ  収納用壁部（重り収納部）
２１ｂ  突出部
３０    重り部
３１    切り欠き部
３２    第１の面部
３２ａ  平滑面
３２ｂ  ダレ面
３３    第２の面部
４０    指針駆動手段
４１    回転軸
５０    計器用表示板
５１    計測値表示部
Ｘ    指示部の長手方向
Ｚ    回転中心軸線
【図１】
2017072459.tif 000003
【図２】
2017072459.tif 000004
【図３】
2017072459.tif 000005
【図４】
2017072459.tif 000006
【図５】
2017072459.tif 000007
【図６】
2017072459.tif 000008